(57)【要約】【課題】身障者等を車椅子から車輌へ安全容易に移乗させるための乗降手段として、簡単な装着方法で着脱自在に車輌に装備でき、且軽量で可搬性の簡易移乗クレーン装置を提供する。【解決手段】構造はアームレール１２を基体として長手方向の一端に駆動モーター１３部を有し、さらにアームレール１２の基体内部には二連式ハンガーローラー２１を内備し、ベルト滑動金具２３部分はアームレール１２の基体外部に位置して装備する構造とし、昇降機能伝達手段にベルト２４を採用し、車輌への装着は補助板４７を介してインサート金具４２とジョイントバックル４３をワンタッチ操作で装着するのを特徴とする簡易移乗クレーン装置とした。【選択図】      図１
2004267705.tif 000002
【特許請求の範囲】
【請求項１】
アームレールを基体として長手方向の一端に駆動モーター部を有し、他の一方先端にベルト固定金具を備え、且アームレール基体内部に移行可とするハンガーローラーを内備し、該ハンガーローラーにはベルト滑動金具を備えて、ベルト滑動金具部をアームレール基体の外部に位置して装備する構造とし、駆動モーター起動により昇降機能する簡易移乗クレーン装置。
【請求項２】
昇降機能伝達手段にはベルトを採用し、該ベルトの一端はベルトプーリーに巻込み、一方のベルト先端はアームレール下辺面に沿って基体先端部に設けるベルト固定金具に止め付け、該ベルトの中間部に位置してベルト滑動金具を設け、該ベルト滑動金具を介して巻回金具を配備する構造とし、ベルトの巻取り巻戻し作用でクレーン機能を有するのを特徴とする請求項１に記載の簡易移乗クレーン装置とする。
【請求項３】
ベルト滑動金具及び巻回金具はベルト通しを有し、該ベルト通しには支持ローラーを軸着して装備した、滑動金具及び巻回金具を具備するのを特徴とする請求項１及び２に記載の簡易移乗クレーン装置とする。
【請求項４】
巻回金具部に保持グリップを併設する請求項１〜３に記載の簡易移乗クレーン装置とする。
【請求項５】
アームレール基体の両端二箇所に取付けて備える各々のブラケットの上面部とする辺にインサート金具を設け、両ブラケット間の間隔を調整可能な構造を特徴とする請求項１〜４に記載の簡易移乗クレーン装置とする。
【請求項６】
インサート金具の連結受部とするジョイントバックルは、車輌懸吊握り手のビス受け孔を利用した装備固定方法を特徴とする請求項１〜５に記載の簡易移乗クレーン装置。
【請求項７】
巻回金具とバランスハンガーは回動自在にして連結され、該バランスハンガーには身障者等を安全に抱える把持ベルトを着脱自在に吊着する請求項１〜６に記載の簡易移乗クレーン装置。
【発明の詳細な説明】
【０００１】
【発明の属する技術分野】
本発明は，車輌に着脱自在に装備し、特に車椅子使用の身障者等を車内座席に安全容易に着座させるための簡易移乗クレーン装置に関するものである。
【０００２】
【従来の技術】
従来、車椅子患者を車輌へ移乗させる場合またその逆の場合においても介護者の援助が必要であるが介護者にとっては極めて困難な作業である。
【０００３】
又車輌に装備された昇降リフトを使っての移乗の場合、患者は車のシート座席に座るのでなく車椅子に座ったまま車内に留まる状態での移動となり不安定で安全性に少々問題があった。特に運転者にとっては右に左にハンドルを切交わす度に緊張感を覚え大変な神経を使い後部に同乗する車椅子患者の安全保持に大変な気苦労を負わされるものである。
【０００４】
又、身障者移動の専用車はその改造費が高く、普通一般の家庭で所有することは経済的負担が大きくて不可能である。又タクシー業界や福祉関連の事業者にとっても経費軽減は誰もが望むものであり、簡便安価な身障者用車輌移乗装置が望まれていた。
【０００５】
特開２００１−２９３９４（Ｐ２００１−２９３９４Ａ）の軽転自在に動く移動板で移乗する方法や、特開２００１−３２２４８２（Ｐ２００１−３２２４８２Ａ）では身障者専用の乗降ドアを複数設けて健常者が身障者と変わりなく着座する介護機能兼用自動車。又簡易クレーン装置として、特開平７−１８７５７０、特開平１０−１３９３７３そして特開２００２−３１４９（Ｐ２００２−３１４９Ａ）の簡易組立て式吊上げ移動装置などの出願があり、そして特別装備による座席をスライド式に移乗させる特開平１１−３２１４０６などがある。本発明に関する発明としては特開平９−２８５４９４があるが、簡単に着脱自在に装備できる簡易移乗クレーン装置の完成は見られない。
【０００６】
【発明が解決しようとする課題】
そこで本発明では、安全容易に乗降させるため簡単な方法で着脱自在に装備でき、且軽量で可搬性の簡易移乗クレーン装置を提供することを目的とする。
【０００７】
【課題を解決するための手段】
上記課題を解決するために、カーバッテリーを動力源としてクレーンの昇降運動を可能とする装置であるが、構造はアームレールを基体としてアームレールの寸法はドアより車外へ突出し、長手方向の一端に駆動モーター部を有し、他の一方先端にベルト固定金具部を備え、さらにアームレール基体内部にはハンガーローラーを内備し、該ハンガーローラーの吊りボルト先端ネジ部に、ベルト滑動金具が螺着固定され、該ベルト滑動金具はアームレール基体の外部に位置して装備する構造とし、駆動モーター起動により昇降機能する簡易移乗クレーン装置。
【０００８】
構造を簡略化し軽量且可搬性を高めるために昇降機能伝達手段にはワイヤーより身体接触時の安全性を重視して牽引力に優れたベルトを採用し、該ベルトの一端はベルトプーリーに巻込み、一方のベルト先端はアームレール下辺面に沿って基体先端部に設けるベルト固定金具に止め付け、即ちアームレールの両端に渡ってベルトを張る状態にする。そして該ベルトの中間部に位置してベルト滑動金具を設け、該ベルト滑動金具を介して巻回金具を配備する構造として、駆動モーター起動によりベルトをプーリーへ巻取る作用が巻回金具を吊上げ、又は巻戻し作用が巻回金具を吊下げる結果となり、即ち上下運動するだけに限定して作用するクレーン機能を有するのを特徴とする簡易移乗クレーン装置とする。
【０００９】
ベルト滑動金具及び巻回金具の構造はベルト通しを開口して設け、ベルト通しの長手方向に沿って支持ローラーを軸着装備する。このことでベルト滑動金具及び巻回金具のベルト過重負担を軽減し手動によるハンガーローラの平行移行を滑らかに作用する構造として、手動式水平移行を容易に成すための支持ローラーを装備する滑動金具及び巻回金具を具備するのを特徴とする簡易移乗クレーン装置である。
【００１０】
アームレール基体の両端二箇所に取付けて備える各々のブラケットの上面部とする辺にシートベルト用インサート金具を定着して設け、モーター側とするブラケットはアームレール基体に固定し、他方のブラケットはアームレール基体表面をスライド移行する構造と成して、多様な機種の車輌幅に対応可能とする、即ち両ブラケット間の間隔を調整可能な構造を特徴とする簡易移乗クレーン装置とする。
【００１１】
インサート金具の連結受部とするジョイントバックルの車両への装備固定は、車輌座席横の左右窓側上部に必ず装備されている懸吊握り手のボルト受け孔とジョイントバックル補助具のボルト止め孔とを同じ位置間隔を有して合致させたジョイントバックルを具備する補助具を作成し、該ジョイントバックルを具備する補助具を介してインサート金具とジョイントバックルをワンタッチ操作で装着するのを特徴とする簡易移乗クレーン装置。
【００１２】
身障者を抱える手段として、ベルト滑動金具を介して繰り出されたベルト間に備える巻回金具に設ける係止孔に保持グリップの係止フックを掛け止め、バランスハンガーに設ける係止フックを保持グリップの係止孔に掛け止め、バランスハンガーには身障者等を安全に抱える把持ベルトを着脱自在に吊着する簡易移乗クレーン装置を完成する。
尚、保持グリップは手動式移行をより安全に促すためのものであり。又保持グリップをスイッチ部として設けることも可能である。
【００１３】
【発明の実施の形態】
発明実施の形態を実施例にもとづき図面を参照して説明する。
【００１４】
図１は実施例１を示す本発明の全体の構造を示す側平面図であり、図２は実施例１を示す本発明の一部切欠斜視図である。
【００１５】
図１で示す本発明の簡易移乗クレーン装置１１は、カーバッテリーを動力源としてクレーンの昇降運動を可能とする装置であるが、構造はアームレール１２を基体としてアームレール１２の寸法はドアより車外へ突出し長手方向の一端に駆動モーター１３部を有し、他の一方先端にベルト固定金具１４を備える。
【００１６】
さらに図２で示すアームレール１２の基体内部にはローラーガイド１５に沿って水平移行を自在にニ連式ハンガーローラー２１を内備し、該ハンガーローラー２１の垂直方向に設けた吊りボルト２２の先端ネジ部にはベルト滑動金具２３が螺着固定され、該ベルト滑動金具２３部分は吊りボルト２２の軸胴部をローラーガイド１５に挟装してアームレール１２の基体外部に位置して装備する構造とする。
【００１７】
本発明の簡易移乗クレーン装置１１の昇降機能伝達手段に、素材を硬質のワイヤーより身体接触時の安全性を重視して牽引力に優れたベルト２４を採用した。
【００１８】
ベルト配備の状態は図１で示す通りであり、滑動金具２３は図２の斜視図で示す構造としている。
【００１９】
図３は巻回金具部２７を示す斜視図であり、図示のごとくスイッチ部１７を併設することも可能である。
ベルト滑動金具２３及び巻回金具部２７はベルト通し２６を有し、ベルト通し２６の長手方向に沿って支持ローラー２５を軸着装備する。
【００２０】
尚、スイッチ部１７に保持グリップ２９を設けることで、手動式移行をより安全に促すとともに使い勝手を向上させた。尚、モーター部はスイッチ切り替えで回転、逆転、停止及び空転防止等の制御機能を有する。
【００２１】
ベルト配備状態の詳細は、ベルト２４の一端をモーター１３に連動して軸着したプーリー１６に巻込み、ベルト２４の他方の先端を、ベルト滑動金具２３に設けたベルト通し孔２６ａの支持ローラー２５ａを通し、さらにベルト滑動金具２３を介して配備する巻回金具部２７に設けるベルト通し２６ｃの支持ローラー２５ｃを巻回して再度ベルト滑動金具２３のベルト通し２６ｂに設けた支持ローラー２５ｂを通り抜け最終的にアームレール１２の基体先端に設けるベルト固定金具１４に定着する。即ち滑動金具２３を介して滑動金具２３から弛み出るベルト２４の中間部に位置してベルト巻回金具部２７を配備する構造としてアームレールの両端に渡ってベルトを張る状態にする。
【００２２】
本発明の簡易移乗クレーン装置１１は、モーター１３の起動によりベルト２４をプーリー１６へ巻取る作用がベルト滑動金具２３を介して装備する巻回金具部２７を吊り上げ、又は巻戻し作用が巻回金具部２７を吊下げる結果となり、即ち上下運動するだけに限定して作用するリフト機能を有するのを特徴とするものである。
【００２３】
即ち昇降する上下運動は駆動モーター１３の起動によるベルト２４の巻取りや巻戻しで作用する構造として、又、横方向への水平移行はベルト滑動金具２３及び巻回金具２７に支持ローラー２５を軸着装備してベルト過重負担を軽減することで手動によるハンガーローラ２１の平行移行を滑らかに作用する構造としている。
【００２４】
本発明の簡易移乗クレーン装置１１の車輌への装着手段について図１を参照して説明する。まずアームレール１２の基体側にブラケット４１を両端二箇所に取付け、各々のブラケット４１にはシートベルト用等に採用されているインサート金具４２を固定して設ける。
【００２５】
次に図４で図示の通り、上述のインサート金具４２の連結受部とするジョイントバックル４３を車両側へ固定して備える。該ジョイントバックル４３の装備方法は、車輌座席横の左右窓側上部に必ず装備されている懸吊握り手４４をボルト４５で締め付け固定しているボルト受け孔４６を利用するものである。
【００２６】
懸吊握り手４４をボルトで締め付けているボルト受け孔４６と合致させた同じ位置間隔で設けるボルト受け孔４６′を有するジョイントバックル補助板４７を準備する
【００２７】
該補助板４７はジョイントバックル４３を具備する補助板４７としている。この補助板４７を車輌に取付ける方法は、懸吊握り手４４のボルトを抜き取り一旦懸吊握り手４４を取り外す。次に補助板４７に有するボルト受け孔４６と４６′を合致させ懸吊握り手４４で補助板４７を挟み込みボルト４５で締め付けて、車輌側にインサート金具４２の連結受部とするジョイントバックル４３を装備するものである。
【００２８】
即ち、該補助板４７を介してインサート金具４２とジョイントバックル４３をワンタッチ操作で本発明の車輌用移乗リフト装置１１を装着するのを特徴とする簡易移乗クレーン装置としたものである。
【００２９】
本発明の車輌用移乗リフト装置１１に装備するインサート金具４２を備える、ブラケット４１は、モーター側とするブラケット４１ａは固定され、また一方のブラケット４１ｂはスライド式として車輌機種が異なってもそれぞれの車両幅に対応して、使用車輌の幅を確保しスライド移行を可とするのを特徴とする構造である。
【００３０】
図５は身障者等を安全に抱える把持ベルト３３及びバランスハンガー３１である。把持ベルト３３の形状はいろいろと考察されるためその形状にこだわるものではない。グリップ２９に設ける係止孔２８にバランスハンガー３１の係止フック３２を引っ掛けて吊り上げ体制が整うもので身障者等抱持する把持ベルト３３が装備されて完成する簡易移乗クレーン装置とする。
【００３１】
図６は本発明の車輌用移乗クレーン装置１１を車輌に装着した状態及び車椅子３４との位置関係等を示す使用状況斜視図である。
【００３２】
尚、本発明の車輌用移乗クレーン装置１１は、軽量、可搬性に優れるもので、且、装着脱もワンタッチを可能とするものであり、移乗完了後はインサート金具４２をジョイントバックル４３より引き抜きアームレール１２の装置全体を車輌より取り外し、乗車人の邪魔にならない場所に収納しドアを閉める。
【００３３】
【発明の効果】
本発明の車輌用移乗クレーン装置は可搬性で軽量化に重点を置いている。そのため必要なときに車輌に持ち込んで使用するものである。
そこで車輌に持ち込み装着方法から先に説明する。まず身障者が乗る座席ドアから本発明の車輌用移乗リフト装置のモーター部方向を先端として座席上に平行に入れ置く、ブラケットに設けたインサート金具を予め装備しているジョイントバックルにカチッと押入れ固定する。さらにもう一端のスイッチ側インサート金具を入り口上部にあるジョイントバックルに同じくカチッと押入れ、バッテリ配線プラグにコンセントを差し込み簡易移乗クレーン装置の装着を完了する。
即ち車輌座席に平行してアームレール基体は一端を車外に突出状態で固定される
【００３４】
車椅子から車輌座席に移乗する場合、まずドアより車外へ突出するアームレール基体の直下に横付けに車椅子を移動させ、バランスハンガーを身障者の頭上に位置させ介助者はスイッチのＯＮ、ＯＦ片手で自在になして一方の片手でバランスハンガーを身障者の前面に充分下降させ把持ベルトを身障者の脚部からお尻の方へ包み込み身体を保持状態に準備し介助者は身障者の身体に片手を添えて、姿勢等のバランスをとりながらバランスハンガーを上昇させる。身体を宙吊りの状態でスイッチを切り、身障者の身体に片手を添えたままで片手はベルト滑動板を移行方向へ押して移動させバランスハンガーを下降させ着座させた後、把持ベルトを取り外して移乗を完了する。又車輌から車椅子への移乗は逆の手順となる。尚、把持ベルトを先に身障者に被着準備させることで移乗手順がより容易となる。
【００３５】
尚、本発明の車輌用移乗クレーン装置は、軽量、可搬性に優れるため車輌に限らず他の場所での荷物等の移動手段にも、その使い方の多様化がいろいろと図れる。
【図面の簡単な説明】
【図１】本発明の全体の構造を示す側平面図。
【図２】本発明の一部切欠斜視図である。
【図３】本発明の巻回金具部を示す斜視図である。
【図４】本発明の装着方法を示す斜視図である。
【図５】本発明の把持ベルト部を示す斜視図である。
【図６】本発明の使用状況を示す斜視図である。
【符号の説明】
１１    車輌用移乗クレーン装置
１２    アームレール
１３    モーター
１４    ベルト固定金具
１５    ローラーガイド
１６    プーリー
１７    スイッチ部
２１    ハンガーローラー
２２    吊りボルト
２３    滑動金具
２４    ベルト
２５    支持ローラーａ、ｂ、ｃ
２６    ベルト通し孔ａ、ｂ、ｃ
２７    巻回金具
２８    係止孔
２９    保持グリップ
３１    バランスハンガー
３２    ハンガー係止フック
３３    把持ベルト
３４    車椅子
４１    ブラケットａ、ｂ
４２    インサート金具
４３    ジョイントバックル
４４    懸吊握り手
４５    ボルト
４６、４６′  ボルト受け孔
４７    補助板
【図１】
2004267705.tif 000003
【図２】
2004267705.tif 000004
【図３】
2004267705.tif 000005
【図４】
2004267705.tif 000006
【図５】
2004267705.tif 000007
【図６】
2004267705.tif 000008